(57)【要約】【課題】キセノン管やレンズによらず撮影に最適なストロボ光の色温度を得ながら、キセノン管の発光始動性の低下や光量不足、熱によるレンズ樹脂の変性を防ぐことができるストロボ装置を提供すること。【解決手段】ストロボ光を発光するキセノン管２と、該キセノン管２からのストロボ光を照射対象に向けて反射させるリフレクタ３を備えたストロボ装置１において、前記リフレクタ３を反射分光特性の異なる２種類以上の部材で構成する。具体的には、リフレクタ３を構成する部材を、近紫外〜赤外までの視感度範囲の全波長域に亘ってほぼ均一に高い反射率を示す主反射材３Ａと、近紫外〜青までの短波長範囲において前記主反射材３Ａよりも低い反射率を示す色温度調整用の副反射材３Ｂで構成する。【選択図】図２
2011150039.tif 000002
【特許請求の範囲】
【請求項１】
ストロボ光を発光するキセノン管と、該キセノン管からのストロボ光を照射対象に向けて反射させるリフレクタを備えたストロボ装置において、
前記リフレクタを反射分光特性の異なる２種類以上の部材で構成したことを特徴とするストロボ装置。
【請求項２】
前記リフレクタを構成する部材は、近紫外〜赤外までの視感度範囲の全波長域に亘ってほぼ均一に高い反射率を示す主反射材と、近紫外〜青までの短波長範囲において前記主反射材よりも低い反射率を示す色温度調整用の副反射材で構成されることを特徴とする請求項１記載のストロボ装置。
【請求項３】
前記副反射材を放熱性の高い金属で構成したことを特徴とする請求項２記載のストロボ装置。
【請求項４】
前記主反射材として高輝アルミナ、白色樹脂又は白色アルミナを使用し、前記副反射材として金メッキを使用することを特徴とする請求項２又は３記載のストロボ装置。
【発明の詳細な説明】
【技術分野】
【０００１】
本発明は、撮影のための補助光としてのストロボ光を照射対象に向けて照射するためのストロボ装置に関するものである。
【背景技術】
【０００２】
例えば、デジタルカメラ等に内蔵されるストロボ装置は、夜間や雨天時等のように周囲が暗い環境下において所定の撮影有効範囲内での撮影を可能とするためにストロボ光を照射対象である被写体に向けて照射するものであって、ストロボ光を発光する光源と、該光源からのストロボ光を照射対象に向けて反射させるリフレクタ及び該リフレクタの前面開口部を覆うレンズを備えている。
【０００３】
斯かるストロボ装置においては、色再現性の良い写真を撮影するため、光源から出射されるストロボ光を太陽光に合わせた色調とすることが行われている。
【０００４】
ところで、ストロボ装置の光源としては、小型で高照度のキセノン管（Ｘｅ管）が使用されることが多いが、このキセノン管は、透明なガラス管内にキセノン（Ｘｅ）ガスを封入したものであって、封入されるキセノンガスの圧力、放電電極間の間隔、ガラス材料、ガラス管外壁にコーティングされた塗布皮膜（ネサコーティング）等の要素によってその光学特性（光量や波長分布（色温度））が決定される。
【０００５】
又、レンズには主に樹脂成型品が用いられ、基材となる樹脂材料、顔料・染料・蛍光体・拡散材等の添加物、レンズ形状、レンズ表面の皮膜等の要素によってその光学特性（配光制御や色温度制御）が決定される。
【０００６】
更に、リフレクタには主に高輝アルミ板が使用され、その形状によってキセノン管から出射されるストロボ光の配光が制御される。
【０００７】
ところで、太陽光の色温度は５０００〜６０００Ｋであるのに対して、キセノン管から出射されるストロボ光の色温度は６５００〜７０００Ｋと高く、ストロボ発光部では撮影に適切な色温度の調整がなされ、この色温度の調整は一般的にはキセノン管とレンズによってなされる。具体的には、キセノン管のガス圧の向上や塗布皮膜の変更、レンズ添加物の変更や量の増加等によって色温度の調整を行っている。
【０００８】
ストロボ光の色温度の調整に関して特許文献１には、リフレクタの反射部にＳｉＯ２ 又はＴｉＯ２ を真空蒸着又はスパッタリングによって蒸着膜を形成し、短波長の光線の反射率を低く抑え、高波長側の反射率を高めることによって、キセノン管からのストロボ光を色温度変換して太陽光に近い色温度の低い放射光を照射するようにしたストロボ装置が提案されている。
【先行技術文献】
【特許文献】
【０００９】
【特許文献１】特開２００１−０５１３２６号公報
【発明の概要】
【発明が解決しようとする課題】
【００１０】
しかしながら、ストロボ光の色温度の調整をキセノン管とレンズによって行う方法では、発光始動性や光量の低下の問題或いはレンズ焼け等のレンズ樹脂の変性の問題が発生し易いという問題がある。
【００１１】
つまり、キセノン管のガス圧を高めると、電子なだれによる放電現象を妨げるために発光始動性が低下し、塗布皮膜（ネサコーティング）を変更すると、透過率の低下から光量が低下するという問題が発生する。又、レンズ焼けは、主な原因として、レンズに添加した顔料や染料の加熱によって起こる。ここで、レンズに顔料や染料を添加するのは、光源からの光線のうち特定域の波長を吸収して光源から射出する光の波長分布（色温度）を調整するためである。
【００１２】
本発明は特許文献１とは異なる構成を提案するものであって、キセノン管やレンズによらず撮影に最適なストロボ光の色温度を得ながら、キセノン管の発光始動性の低下や光量不足、熱によるレンズ樹脂の変性を防ぐことができるストロボ装置を提供することにある。
【課題を解決するための手段】
【００１３】
上記目的を達成するため、請求項１記載の発明は、ストロボ光を発光するキセノン管と、該キセノン管からのストロボ光を照射対象に向けて反射させるリフレクタを備えたストロボ装置において、前記リフレクタを反射分光特性の異なる２種類以上の部材で構成したことを特徴とする。
【００１４】
請求項２記載の発明は、請求項１記載の発明において、前記リフレクタを構成する部材は、近紫外〜赤外までの視感度範囲の全波長域に亘ってほぼ均一に高い反射率を示す主反射材と、近紫外〜青までの短波長範囲において前記主反射材よりも低い反射率を示す色温度調整用の副反射材で構成されることを特徴とする。
【００１５】
請求項３記載の発明は、請求項２記載の発明において、前記副反射材を放熱性の高い金属で構成したことを特徴とする。
【００１６】
請求項４記載の発明は、請求項２又は３記載の発明において、前記主反射材として高輝アルミナ、白色樹脂又は白色アルミナを使用し、前記副反射材として金メッキを使用することを特徴とする。
【発明の効果】
【００１７】
請求項１及び２記載の発明によれば、近紫外〜赤外までの視感度範囲の波長域のストロボ光の一部はリフレクタの主反射材によって反射して高い反射率を示し、近紫外〜青までの短波長範囲のストロボ光はリフレクタの副反射材で反射して低い反射率を示し、このようにリフレクタによって反射した反射光とリフレクタによって反射することなく直接照射される直接光とが混合された混合光は、太陽光に近い色温度を示すために色再現性の良い写真を撮影することができる。この場合、キセノン管とレンズには何ら手を加えないため、キセノン管やレンズによらず撮影に最適なストロボ光の色温度を得ながら、キセノン管の発光始動性の低下や光量不足、熱によるレンズ樹脂の変性を防ぐことができる。
【００１８】
請求項３記載の発明によれば、副反射材を放熱性の高い金属で構成したため、レンズ樹脂の過熱による変性が防がれる。
【００１９】
請求項４記載の発明によれば、主反射材として近紫外〜赤外までの視感度範囲の波長域においてほぼ均一に高い反射率を示す高輝アルミナ、白色樹脂又は白色アルミナを使用し、色温度調整用の副反射材として近紫外〜青までの短波長範囲において低い反射率を示す金メッキを使用したため、キセノン管やレンズによらず撮影に最適なストロボ光の色温度を得ることができる。
【図面の簡単な説明】
【００２０】
【図１】本発明に係るストロボ装置の斜視図である。
【図２】本発明に係るストロボ装置の平断面図である。
【図３】図２のＡ−Ａ線断面図である。
【図４】黒体が発する光の分光分布を温度をパラメータとして示す図である。
【図５】太陽光の分光分布図である。
【図６】キセノン管の分光分布図である。
【図７】各種材料の反射分光分布図である。
【発明を実施するための形態】
【００２１】
以下に本発明の実施の形態を添付図面に基づいて説明する。
【００２２】
図１は本発明に係るストロボ装置の斜視図、図２は同ストロボ装置の平断面図、図３は図２のＡ−Ａ線断面図であり、本実施の形態に係るストロボ装置１は、デジタルカメラ等に内蔵されて夜間や雨天時等のように周囲が暗い環境下においても所定の撮影有効範囲での撮影を可能とするためにストロボ光を照射対象である不図示の被写体に照射するものであって、図１及び図２に示すように、光源として幅方向に長いキセノン管２と、該キセノン管２からのストロボ光を被写体に向けて反射させるリフレクタ３と、該リフレクタ３の前面（光出射面）を覆う透明な樹脂製のレンズ４を備えている。
【００２３】
上記リフレクタ３は、キセノン管２の一部を背面から覆うよう配置されており、正面反射部（縦壁）３ａとその両側端に形成された側面反射部面（側壁）３ｂを備えている。このリフレクタ３の内面は、なるべく多くの光を制御することができるよう正面反射面３ａの縦断面形状には楕円若しくは楕円に近い自由曲面が採用され、左右の側面反射面３ｂは前方（光出射方向）に向かって開くテーパ状に成形されている。
【００２４】
而して、本実施の形態では、リフレクタ３は、図２に示すように、反射分光特性の異なる主反射材３Ａと、該主反射材３Ａの幅方向中央に配された副反射材３Ｂとで構成されている。これらの主反射材３Ａと副反射材３Ｂとは反射分光特性が互いに異なっており、主反射材３Ａは、近紫外〜赤外までの視感度範囲の全波長域（波長３８０〜７８０ｎｍ）に亘ってほぼ均一に高い反射率を示す高輝アルミナ、白色樹脂又は白色アルミナで構成され、副反射材３Ｂは色温度調整用の部材であって、近紫外〜青までの短波長範囲（３８０〜５６０ｎｍ）において主反射材３Ａよりも低い反射率を示す金メッキで構成されている。
【００２５】
又、前記キセノン管２は、放電部のガラス管２ａの内部にキセノンガスを封入して構成されており、ガラス管２ａの外周面には導電性の塗布皮膜としてネサコーティング２ｂが全周に亘ってコーティングされている。そして、このネサコーティング２ｂは、図３に示すように、リフレクタ３の正面反射面３ａに圧接されている。
【００２６】
ここで、色温度について説明すると、この色温度は、光源が発する光の色を表現する指標の１つであって、特定の色を黒体の温度をもって表現するものである。図４に黒体の分光分布を温度をパラメータとして示すが、同図から明らかなように、黒体が発する光の分光分布は温度によって変化し、温度が低ければ長波長側の成分が多くて赤っぽい光を放ち、温度が高ければ短波長側の成分が多くて青っぽい光を放つ。
【００２７】
次に、太陽光の分光分布を図５に示すが、同図から明らかなように、太陽光は短波長域（３８０〜５６０ｎｍ）において低いエネルギー強度を示す。
【００２８】
而して、本実施の形態に係るストロボ装置１は、夜間や雨天時等のように周囲が暗い環境下においても所定の撮影有効範囲内での撮影を可能とするためにストロボ光を被写体に向けて照射するものであって、撮影に必要な明るさが確保されない場合には、不図示のシャッタボタンの操作に同期してストロボ装置１のキセノン管２からストロボ光が出射される。
【００２９】
即ち、トリガ電圧がリフレクタ３のアルミ蒸着層とキセノン管２のネサコーティング２ｂとの接触部を介してキセノン管２に印加され、該キセノン管２内に封入されたキセノン（Ｘｅ）ガスが全体的に励起され、コンデンサからキセノン管２に発光電流が流れると該キセノン管２が放電して発光する。
【００３０】
ここで、キセノン管２の分光分布をＸ（λ）、リフレクタ３の反射分光特性をＲ（λ）、レンズ４の透過分光特性をＬ（λ）、反射回数に関する係数をεとすると、ストロボ光（混合光）Ｌの分光分布Ｉ（λ）は次式によって表される。
【００３１】
Ｉ（λ）＝Ｉ１ （λ）＋Ｉ２ （λ）＋Ｉ３ （λ）＋Ｉ４ （λ）…
＝Ｘ（λ）×εＲ（λ）×Ｌ（λ）
ここに、Ｉ１ （λ）＝Ｘ（λ）×Ｌ（λ）
Ｉ２ （λ）＝Ｘ（λ）×Ｒ（λ）×Ｌ（λ）
…                                                                  上式より、リフレクタの反射分光特性をＲ（λ）を任意に調整することができればストロボ光の色温度（発光色）を調整することができることが分かる。
【００３２】
又、キセノン管２の分光分布をＸ（λ）図６に示し、各種材料（ポリカーボネート、銀メッキ、金メッキ、アルミ板）の反射分光分布Ｒ（λ）を示す。
【００３３】
而して、本実施の形態では、キセノン管２から出射するストロボ光のうち、図３に示す直射光Ｌ１は、リフレクタ３によって反射することなくレンズ４を透過して被写体に向かって直接照射される。又、リフレクタ３によって反射した反射光Ｌ２は、レンズ４を透過して被写体に向かって照射されるが、近紫外〜赤外までの視感度範囲の波長域（３８０〜７８０ｎｍ）の反射光Ｌ２は、リフレクタ３の主反射材３Ａによって反射して高い反射率を示し、近紫外〜青までの短波長範囲（３８０〜５６０ｎｍ）の反射光Ｌ２は、リフレクタ３の副反射材３Ｂで反射して低い反射率を示す。
【００３４】
従って、リフレクタ３によって反射した反射光Ｌ２とリフレクタ３によって反射することなく直接照射される直接光Ｌ２とが混合された混合光Ｌは、図５に示す分光分布を示す太陽光に近い色温度を示すために色再現性の良い写真を撮影することができる。この場合、キセノン管２とレンズ４には何ら手を加えないため、キセノン管２やレンズ４によらず撮影に最適なストロボ光の色温度を得ながら、キセノン管２の発光始動性の低下や光量不足、熱によるレンズ４の樹脂の変性を防ぐことができる。
【００３５】
又、本実施の形態では、副反射材を放熱性の高い金メッキで構成したため、樹脂製のレンズ４の過熱による変性が防がれるという効果も得られる。
【産業上の利用可能性】
【００３６】
本発明は、デジタルスチルカメラ（ＤＳＣ）、デジタルビデオカメラ（ＤＶＣ）、携帯電話等に使用されるストロボ装置全般に対して適用可能である。
【符号の説明】
【００３７】
１        ストロボ装置
２        キセノン管
２ａ      キセノン管のガラス管
２ｂ      キセノン管のネサコーティング
３        リフレクタ
３Ａ      リフレクタの主反射材
３Ｂ      リフレクタの副反射材
３ａ      リフレクタの正面反射部（縦壁）
３ｂ      リフレクタの側面反射部（横壁）
４        レンズ
Ｌ１      直射光
Ｌ２      反射光
【図１】
2011150039.tif 000003
【図２】
2011150039.tif 000004
【図３】
2011150039.tif 000005
【図４】
2011150039.tif 000006
【図５】
2011150039.tif 000007
【図６】
2011150039.tif 000008
【図７】
2011150039.tif 000009